(57)【要約】【課題】発光制御装置の無駄な通信動作を軽減する。【解決手段】スレーブストロボの各々は予め設定された複数の発光グループのいずれに属しており、カメラ２００から所定の指示があると、発光装置制御部１０３および判定部１０７はスレーブストロボの各々が発光グループのいずれに属するかを示す発光グループ情報に応じて、スレーブストロボが登録されている発光グループを判定して、当該発光グループをプリ発光を行うプリ発光グループとしてカメラに通知する。発光装置制御部はカメラからプリ発光グループを指定して撮影開始指示があると、プリ発光グループに登録されたスレーブストロボに無線通信部１０１を介してプリ発光指示を送って、プリ発光グループに登録されたスレーブストロボにプリ発光を行わせる。【選択図】図１
2013160788.tif 000002
【特許請求の範囲】
【請求項１】
撮影の際に複数の発光装置を制御する発光制御装置であって、
前記発光装置の各々は予め設定された複数の発光グループのいずれに属しており、
前記発光装置の各々と無線通信を行う無線通信手段と、
撮像装置から所定の指示があると、前記発光装置の各々が前記発光グループのいずれに属するかを示す発光グループ情報に応じて、前記発光装置が登録されている発光グループを判定して、当該発光グループをプリ発光を行うプリ発光グループとして前記撮像装置に通知する判定手段と、
前記撮像装置から前記プリ発光グループを指定して撮影開始指示があると、前記プリ発光グループに登録された前記発光装置に前記無線通信手段を介してプリ発光指示を送って、前記プリ発光グループに登録された前記発光装置にプリ発光を行わせる制御手段とを有することを特徴とする発光制御装置。
【請求項２】
前記発光装置は起動された際、当該起動された発光装置が属する発光グループを示す前記発光グループ情報を前記起動された発光装置を特定する識別情報とともに前記発光制御装置に無線通信によって送信し、
前記識別情報に対応づけて前記発光グループ情報を記録する記憶手段を有することを特徴とする請求項１に記載の発光制御装置。
【請求項３】
前記発光装置は当該発光装置が属する発光グループが変更されると、前記識別情報を含むグループ情報変更通知を前記発光制御装置に無線通信によって送信し、
前記制御手段は前記グループ情報変更通知を受けると、前記識別情報に対応する発光装置が属する発光グループを変更して前記記憶手段に登録することを特徴とする請求項２に記載の発光制御装置。
【請求項４】
前記制御手段は前記無線通信手段によって通信不能となった発光装置についてその発光グループ情報を前記記憶手段から削除することを特徴とする請求項２又は３に記載の発光制御装置。
【請求項５】
前記プリ発光に応じて求められた必要発光量を前記撮像装置から受けると、前記制御手段は前記無線通信手段によって前記必要発光量を前記プリ発光グループに属する発光装置に送り、前記撮像装置から本発光命令があると前記プリ発光グループに属する発光装置に前記無線通信手段によって前記本発光命令を送信することを特徴とする請求項１〜４のいずれか１項に記載の発光制御装置。
【請求項６】
前記予め設定された発光グループのいずれかにまったく前記発光装置が登録されていない旨の通知を前記撮像装置から受けると、前記制御手段は調光不良の警告を報知することを特徴とする請求項１〜５のいずれか１項に記載の発光制御装置。
【請求項７】
前記予め設定された発光グループの全てに前記発光装置が登録されている場合、前記撮像装置は前記必要発光量が予め定められた許容範囲を超える旨の通知を前記撮像装置から受けると、前記制御手段は調光不良の警告を報知することを特徴とする請求項５に記載の発光制御装置。
【請求項８】
前記予め設定された発光グループのいずれかに前記発光装置が登録されていないと、前記撮像装置は前記発光装置が登録されていない発光グループを示して警告を報知することを特徴とする請求項１〜７のいずれか１項に記載の発光制御装置。
【請求項９】
前記撮像装置は前記予め設定された発光グループにおいて前記発光装置が登録されているか否かに応じて前記本発光命令を送信するタイミングを決定することを特徴とする請求項５に記載の発光制御装置。
【請求項１０】
複数の発光装置の各々と無線通信を行う無線通信手段と、
前記複数の発光装置をグループ分けするための複数の発光グループを設定する設定手段とを有し、前記設定手段により設定されたグループ毎に前記複数の発光装置に対する制御信号を送信する発光制御装置であって、
前記複数の発光装置は、それぞれ前記設定手段により設定された発光グループのいずれかに属しており、
前記設定手段により設定された複数の発光グループのうち、前記複数の発光装置の少なくとも１つが属する発光グループには前記制御信号を送信し、前記複数の発光装置のいずれも属していない発光グループには前記制御信号を送信しないことを特徴とする発光制御装置。
【請求項１１】
予め設定された複数の発光グループのいずれかに属する複数の発光装置の各々と無線通信を行う無線通信手段を備え、前記発光装置の各々を制御する発光制御装置の制御方法であって、
前記発光装置の各々が前記発光グループのいずれに属するかを示す発光グループ情報に応じて、前記発光装置が登録されている発光グループを判定して、当該発光グループをプリ発光を行うプリ発光グループとして前記撮像装置に通知する判定ステップと、
前記撮像装置から前記プリ発光グループを指定して撮影開始指示があると、前記プリ発光グループに登録された前記発光装置に前記無線通信手段を介してプリ発光指示を送って、前記プリ発光グループに登録された前記発光装置にプリ発光を行わせる制御ステップとを有することを特徴とする制御方法。
【請求項１２】
予め設定された複数の発光グループのいずれかに属する複数の発光装置の各々と無線通信を行う無線通信手段を備え、前記発光装置の各々を制御する発光制御装置で用いられる制御プログラムであって、
前記発光制御装置が備えるコンピュータに、
前記発光装置の各々が前記発光グループのいずれに属するかを示す発光グループ情報に応じて、前記発光装置が登録されている発光グループを判定して、当該発光グループをプリ発光を行うプリ発光グループとして前記撮像装置に通知する判定ステップと、
前記撮像装置から前記プリ発光グループを指定して撮影開始指示があると、前記プリ発光グループに登録された前記発光装置に前記無線通信手段を介してプリ発光指示を送って、前記プリ発光グループに登録された前記発光装置にプリ発光を行わせる制御ステップとを実行させることを特徴とする制御プログラム。
【請求項１３】
撮影の際に複数の発光装置を制御する撮像装置であって、
前記発光装置の各々は予め設定された複数の発光グループのいずれに属しており、
前記発光装置の各々と無線通信を行う無線通信手段と、
前記発光装置の各々が前記発光グループのいずれに属するかを示す発光グループ情報に応じて、前記発光装置が登録されている発光グループを判定して、当該発光グループをプリ発光を行うプリ発光グループとする判定手段と、
撮影開始の際、前記プリ発光グループに登録された前記発光装置に前記無線通信手段を介してプリ発光指示を送って、前記プリ発光グループに登録された前記発光装置にプリ発光を行わせる制御手段とを有することを特徴とする撮像装置。
【請求項１４】
複数の発光装置と、請求項１〜９のいずれか１項に記載の発光制御装置と、該発光制御装置が着脱可能に接続された撮像装置とを備えることを特徴とする撮像装置。
【発明の詳細な説明】
【技術分野】
【０００１】
本発明は、デジタルカメラなどの撮像装置で用いられる発光制御装置、その制御方法、制御プログラム、撮像装置、並びに撮像装置システムに関し、特に、ワイヤレスで多灯発光を行う発光装置に関する。
【背景技術】
【０００２】
一般に、放電管など光源を発光させてワイヤレス通信を行う発光装置が知られている。例えば、所謂ワイヤレスストロボ撮影で用いられる撮影機能付き発光装置（マスタ発光装置と呼ぶ）において、当該マスタ発光装置がスレーブ発光装置との間で放電管の発光による光通信を行うようにしたものがある（特許文献１参照）。
【０００３】
特許文献１においては、複数のスレーブ発光装置を予めグループ分けする。そして、マスタ発光装置は撮影の際にスレーブ発光装置に対して、順次グループ毎にプリ発光指示を光通信で行う。マスタ発光装置は各グループにおけるプリ発光を測光した結果に応じて適正な発光量で本発光を行う。
【先行技術文献】
【特許文献】
【０００４】
【特許文献１】特開２００３−１８６０８８号公報
【発明の概要】
【発明が解決しようとする課題】
【０００５】
ところで、所謂ワイヤレスストロボシステムにおける光通信においては、本発光を行う場合以外においてもマスタ発光装置は各グループに各種情報の送信を行う際に発光を行う必要がある。このため、マスタ発光装置では頻繁に発光を行うことがあり、電池が短時間で消耗しまうことがある。
【０００６】
加えて、マスタ発光装置は各スレーブ発光装置を複数のグループに分け、各スレーブ発光装置に対してそれぞれのグループ単位で情報を送信することができる。このとき、各スレーブ発光装置は、自身をどのグループに所属させるかを自身の操作部への操作により設定される。しかしながら、この場合、例えば、マスタ発光装置が予め設定した複数のグループの中にスレーブ発光装置が存在しないグループがあっても、マスタ発光装置は予め設定された全てのグループに対して各種情報を送信する。これは、各スレーブ発光装置からマスタ発光装置に情報の送信ができず、各スレーブ発光装置が所属するグループに関する情報（グループ情報）を、マスタ発光装置が各スレーブ発光装置から取得できないためである。このように、スレーブ発光装置が存在しないグループがあってもそのグループに対して情報の送信を行うため、無駄な通信動作を行うことになる。
【０００７】
従って、本発明の目的は、発光制御装置の無駄な通信動作を軽減することにある。
【課題を解決するための手段】
【０００８】
上記の目的を達成するため、本発明による発光制御装置は、撮影の際に複数の発光装置を制御する発光制御装置であって、前記発光装置の各々は予め設定された複数の発光グループのいずれに属しており、前記発光装置の各々と無線通信を行う無線通信手段と、撮像装置から所定の指示があると、前記発光装置の各々が前記発光グループのいずれに属するかを示す発光グループ情報に応じて、前記発光装置が登録されている発光グループを判定して、当該発光グループをプリ発光を行うプリ発光グループとして前記撮像装置に通知する判定手段と、前記撮像装置から前記プリ発光グループを指定して撮影開始指示があると、前記プリ発光グループに登録された前記発光装置に前記無線通信手段を介してプリ発光指示を送って、前記プリ発光グループに登録された前記発光装置にプリ発光を行わせる制御手段とを有することを特徴とする。
【０００９】
本発明による制御方法は、予め設定された複数の発光グループのいずれかに属する複数の発光装置の各々と無線通信を行う無線通信手段を備え、前記発光装置の各々を制御する発光制御装置の制御方法であって、前記発光装置の各々が前記発光グループのいずれに属するかを示す発光グループ情報に応じて、前記発光装置が登録されている発光グループを判定して、当該発光グループをプリ発光を行うプリ発光グループとして前記撮像装置に通知する判定ステップと、前記撮像装置から前記プリ発光グループを指定して撮影開始指示があると、前記プリ発光グループに登録された前記発光装置に前記無線通信手段を介してプリ発光指示を送って、前記プリ発光グループに登録された前記発光装置にプリ発光を行わせる制御ステップとを有することを特徴とする。
【００１０】
本発明による制御プログラムは、予め設定された複数の発光グループのいずれかに属する複数の発光装置の各々と無線通信を行う無線通信手段を備え、前記発光装置の各々を制御する発光制御装置で用いられる制御プログラムであって、前記発光制御装置が備えるコンピュータに、前記発光装置の各々が前記発光グループのいずれに属するかを示す発光グループ情報に応じて、前記発光装置が登録されている発光グループを判定して、当該発光グループをプリ発光を行うプリ発光グループとして前記撮像装置に通知する判定ステップと、前記撮像装置から前記プリ発光グループを指定して撮影開始指示があると、前記プリ発光グループに登録された前記発光装置に前記無線通信手段を介してプリ発光指示を送って、前記プリ発光グループに登録された前記発光装置にプリ発光を行わせる制御ステップとを実行させることを特徴とする。
【００１１】
本発明による撮像装置は、撮影の際に複数の発光装置を制御する撮像装置であって、前記発光装置の各々は予め設定された複数の発光グループのいずれに属しており、前記発光装置の各々と無線通信を行う無線通信手段と、前記発光装置の各々が前記発光グループのいずれに属するかを示す発光グループ情報に応じて、前記発光装置が登録されている発光グループを判定して、当該発光グループをプリ発光を行うプリ発光グループとする判定手段と、撮影開始の際、前記プリ発光グループに登録された前記発光装置に前記無線通信手段を介してプリ発光指示を送って、前記プリ発光グループに登録された前記発光装置にプリ発光を行わせる制御手段とを有することを特徴とする。
【００１２】
本発明による撮像装置システムは、複数の発光装置と、上記の発光制御装置と、該発光制御装置が着脱可能に接続された撮像装置とを備えることを特徴とする。
【発明の効果】
【００１３】
本発明によれば、発光制御装置の無駄な通信動作を軽減することができる。
【図面の簡単な説明】
【００１４】
【図１】本発明の第１の実施形態による発光制御装置であるマスタ発光装置を備えるカメラシステムの一例を示すブロック図である。
【図２】図１に示すカメラシステムの概略構成を示す図である。
【図３】図２に示すカメラシステムにおいてスレーブストロボによるグループ情報の送信処理を説明するためのフローチャートであり、（ａ）は初期登録の際の送信処理を説明するためのフローチャート、（ｂ）は変更登録の際の送信処理を説明するためのフローチャートである。
【図４】図２に示すカメラシステムにおいてマスターストロボにおける登録処理を説明するためのフローチャートである。
【図５】図２に示すカメラシステムにおける撮影処理を説明するためのフローチャートである。
【図６】図５に示す発光グループ問い合わせ処理を説明するためのフローチャートである。
【図７】本発明の第２の実施形態による発光制御装置が用いられたカメラシステムにおける撮影処理を説明するためのフローチャートである。
【図８】図７に示す調光ランプ判定処理を説明するためのフローチャートである。
【図９】本発明の第３の実施形態による発光制御装置が用いられたカメラシステムにおける撮影処理を説明するためのフローチャートである。
【図１０】図９に示すグループ設定確認処理を説明するためのフローチャートである。
【図１１】本発明の第４の実施形態による発光制御装置が用いられたカメラシステムにおいてカメラにおけるグループ登録処理を説明するためのフローチャートである。
【図１２】本発明の第４の実施形態による発光制御装置が用いられたカメラシステムにおける撮影処理を説明するためのフローチャートである。
【図１３】図１２に示す発光グループ選択処理を説明するためのフローチャートである。
【図１４】本発明の第５の実施形態による発光制御装置が用いられたカメラシステムにおける撮影処理を説明するためのフローチャートである。
【図１５】図１４に示す時間調整処理を説明するためのフローチャートである。
【発明を実施するための形態】
【００１５】
以下、本発明の実施の形態による発光制御装置について図面を参照して説明する。
【００１６】
［第１の実施形態］
図１は、本発明の第１の実施形態による発光制御装置であるマスタ発光装置を備えるカメラシステムの一例を示すブロック図である。
【００１７】
図１に示すカメラシステムは、発光装置（ストロボ装置とも呼ぶ）１００と撮像装置であるカメラ２００とを有している。発光装置１００は発光回路１０２を備えており、この発光回路１０２は発光装置制御部１０３の制御下で充電を行う。また、発光回路１０２は発光装置制御部１０３から発光指示を受けると発光部（図示せず）を発光させる。さらに、発光回路１０２は充電が完了すると発光装置制御部１０３に充電完了信号を送る。
【００１８】
後述するように、図示のカメラシステムには複数のスレーブ発光装置（図１には示さず）が備えられており、これらスレーブ発光装置はグループ化されている（つまり、グループ分けされている）。そして、グループには当該グループを特定するグループ情報が付与されている。つまり、スレーブ発光装置の各々には当該スレーブ発光装置がいずれのグループに属するかを示すグループ情報が付与されている。
【００１９】
記憶部１０４（記憶手段）には、スレーブ発光装置に係るグループ情報、そして、多灯発光の対象を示すグループ設定情報およびストロボ動作を制御する際に用いられる調整データなどが記録されている。そして、発光装置制御部１０３は記憶部１０４に記録された情報又はデータに応じて、後述する発光制御を行う。
【００２０】
判定部１０７は、発光装置制御部１０３の制御下で前述のグループ情報およびグループ設定情報に応じて実際に発光を行うグループを決定する。点灯部１０５はＬＥＤなどを用いて発光装置１００の状態の変化などを報知するもので、発光装置制御１０３の制御下で点灯を行う。
【００２１】
発光装置１００は無線通信部１０１（無線通信手段）を有しており、この無線通信部１０１はアンテナ１０１ａ、無線制御部１０１ｂ、および発振回路１０１ｃを備えている。発振回路１０１ｃは水晶発振器（図示せず）の発振周波数に応じたクロック信号を生成して、クロック信号を無線制御部１０１ｂに与える。無線制御部１０１ｂはクロック信号に応じて動作し、アンテナ１０１ａを介して電波によるデータの送受信を行う。なお、シリアル通信入出力部１０６はカメラ２００とデータ通信を行うためのインタフェースである。
【００２２】
カメラ２００はカメラ制御部２０３を有しており、カメラ制御部２０３はカメラ２００全体の制御を司る。記憶部２０２には、カメラ制御部２０３がカメラを制御する際に用いられる調整データなどが保存される。
【００２３】
表示部２０４はカメラ制御部２０３の制御下で、例えば、カメラの動作状態および警告等を表示する。表示部２０４として、例えば、液晶ディスプレイが用いられる。なお、カメラ２００に備えられたシリアル通信入出力部２０１はシリアル通信入出力部１０６に接続される。
【００２４】
カメラ２００は測光回路２０５を備えており、この測光回路２０５には多分割測光センサ２０６が接続されている。多分割測光センサ２０６では撮影画面が複数のエリアに分割されている。レリーズスイッチ（図示せず）が半押しされると、測光回路２０５は多分割測光センサ２０６のエリア毎にその測光値を測定して輝度信号としてカメラ制御部２０３に送る。
【００２５】
カメラ制御部２０３は測光値（輝度信号）をＡ／Ｄ変換器（図示せず）によってデジタル信号に変換して、当該デジタル信号に応じて露出調節のための絞り値を求めるとともに、シャッタースピードを求める。
【００２６】
続いて、レリーズスイッチが全押しされると、同様に、測光回路２０５からカメラ制御部２０３に輝度信号が送られる。この際、外部ストロボ発光許可が設定されていると、カメラ制御部２０３はシリアル通信入力部２０１を介してプリ発光命令を発光装置１００に送る。これによって、発光装置１００では、発光装置制御部１０３はシリアル通信入出力部１０６を介してプリ発光命令を受け取って、発光回路１０２を制御してプリ発光を行う。
【００２７】
そして、プリ発光の結果、測光回路２０５から得られた輝度信号（つまり、デジタル信号）に応じて、カメラ制御部２０３は撮影の露出調節のための絞り値を求めるとともに、シャッタースピードおよびストロボメイン発光量を求めて、露出動作を行う。
【００２８】
露出動作が開始されると、モーター制御回路２０７は、カメラ制御部２０３の制御下でモーター（図示せず）を駆動制御してミラー（図示せず）のアップ・ダウンを行うとともに、シャッター（図示せず）のチャージを行う。
【００２９】
シャッター制御回路２０８は、カメラ制御部２０３の制御下でシャッター先幕およびシャッター後幕（ともに図示せず）を制御して、幕走行させて露出動作を実行する。
【００３０】
レンズ制御回路２０９は、レリーズスイッチの半押し又は全押しによってレンズマウント接点（図示せず）を介してカメラ制御部２０３と通信して、レンズ駆動モーターおよびレンズ絞りモーター（ともに図示せず）を駆動し、レンズの焦点調節および絞り制御を行う。
【００３１】
焦点検出回路２１０は被写体に対するデフォーカス量を複数の焦点検出エリアで検出する。また、カメラ２００にはＡＦ（オートフォーカス）およびＭＦ（マニュアルフォーカス）のどちらかを選択する選択スイッチ（図示せず）を備えている。選択スイッチによってＭＦが選択されていると、カメラ制御部２０３は焦点検出回路２１０における検出機能を無効とする。
【００３２】
なお、選択スイッチおよびカメラ２００に備えられた操作部（図示せず）の操作はスイッチセンス回路２１１によって検知され、スイッチセンス回路２１１から操作信号がカメラ制御部２０３に送られる。
【００３３】
図２は、図１に示すカメラシステムの概略構成を示す図である。
【００３４】
図２において、カメラ２００には接続部３０１が備えられており、この接続部３０１によって発光装置１００がカメラ２００に着脱可能に装着される。接続部３０１によって発光装置１００がカメラ２００に着脱可能に装着されることによって、図１に示すシリアル通信入出力部１０６および２０１が接続される。さらに、カメラ２００の後面には液晶パネルなどの表示部２００ａが備えられている。
【００３５】
図２に示す例では、発光装置１００が発光装置４００と無線で接続されている。以下の説明では、発光装置１００をマスターストロボ（マスタ発光装置）、発光装置４００をスレーブストロボ（スレーブ発光装置）とも呼ぶ。
【００３６】
スレーブストロボ４００の構成はマスターストロボ１００と同一であり、スレーブストロボ４００においてアンテナは符号４０１ａで示されている。また、マスターストロボ１００およびスレーブストロボ４００にはそれぞれ電源スイッチ３０２および４０２が備えられている。さらに、マスターストロボ１００およびスレーブストロボ４００にはそれぞれ後述の設定変更ボタン３０３および４０３が備えられている。
【００３７】
スレーブストロボ４００において、電源スイッチ４０２が操作されて電源オンとなると、スレーブストロボ４００から無線通信によってスレーブストロボ４００が属するグループ情報（発光グループ情報ともいう）を含む初期登録情報がマスターストロボ１００に送られる。そして、スレーブストロボ４００が属するグループが設定変更ボタン４０３の操作に応じて変更されると、スレーブストロボ４００から変更後のグループ情報がマスターストロボ１００に通知される。
【００３８】
なお、図２においては、説明の便宜上、スレーブストロボ４００は１つのみ示されているが、実際には、複数のスレーブストロボ４００が存在する。また、スレーブストロボ４００とマスターストロボ１００とは交代しうる。つまり、スレーブストロボ４００がマスターストロボとなり、マスターストロボ１００がスレーブストロボとなりうる。
【００３９】
図３は図２に示すカメラシステムにおいてスレーブストロボによるグループ情報の送信処理を説明するためのフローチャートである。そして、図３（ａ）は初期登録の際の送信処理を説明するためのフローチャートであり、図３（ｂ）は変更登録の際の送信処理を説明するためのフローチャートである。
【００４０】
まず、図３（ａ）を参照して、スレーブストロボ４００がその属するグループを示すグループ情報を初期登録する場合について説明する。いま、電源スイッチの操作によって電源がオンとなると、発光装置において、発光装置制御部１０３は発光装置がスレーブストロボモードで起動されたか否かを判定する（ステップＳ１０１）。ここで、スレーブストロボモードとは、発光装置の動作モードがスレーブストロボとして動作するモードである。
【００４１】
スレーブストロボモードで起動されないと（ステップＳ１０１において、ＮＯ）、発光装置制御部１０３は待機する。一方、スレーブストロボモードで起動されると（ステップＳ１０１において、ＹＥＳ）、発光装置制御部１０３は無線制御部１０１ｂを制御して、マスターストロボ１００に対して初期登録通知を行う（ステップＳ１０２）。そして、発光装置制御部１０３は初期登録を終了する。
【００４２】
この初期登録通信では、所属するグループに関するグループ情報および当該スレーブストロボ４００を識別する識別情報を含むスレーブストロボ登録依頼が送信され、マスターストロボ１００において、前述したように当該スレーブストロボ４００に係るグループ情報が識別情報に対応づけられて記憶部１０４に登録される。
【００４３】
次に、図３（ｂ）を参照して、スレーブストロボ４００が属するグループを変更する場合について説明する。発光装置制御部１０３は設定変更ボタン４０３が操作されたか否かを判定する（ステップＳ２０１）。設定変更ボタン４０３が操作されないと（ステップＳ２０１において、ＮＯ）、発光装置制御部１０３は変更登録を終了する。
【００４４】
設定変更ボタン４０３が操作されて（ステップＳ２０１において、ＹＥＳ）、スレーブストロボ４００が属するグループが変更されると、発光装置制御部１０３は無線通信部１０１によって変更後のグループを示すグループ情報および当該スレーブストロボ４００を識別する識別情報を含むグループ情報変更通知をマスターストロボ１００に送る。そして、スレーブストロボ４００において、発光装置制御部１０３は変更登録を終了する。マスターストロボ１００では、当該スレーブストロボ４００に係る変更後のグループ情報が記憶部１０４に登録される。
【００４５】
図４は図２に示すカメラシステムにおいてマスターストロボにおける登録処理を説明するためのフローチャートである。
【００４６】
マスターストロボ１００では、無線制御部１０１ｂがアンテナ１０１ａを介して電波を受信したか否かを判定する（ステップＳ３０１）。電波を受信しないと（ステップＳ３０１において、ＮＯ）、無線制御部１０１ｂは待機する。一方、電波を受信すると（ステップＳ３０１において、ＹＥＳ）、無線制御部１０１ｂは復調処理などを行って、受信データを発光装置制御部１０３に送る。
【００４７】
発光装置制御部１０３は受信データを受けると、当該受信データが前述の初期登録通知であるか否かを判定する（ステップＳ３０２）。初期登録通知であると（ステップＳ３０２において、ＹＥＳ）、発光装置制御部１０３は初期登録通知に含まれる識別情報（ストロボＩＤともいう）を初期登録情報として記憶部１０４に保存する（ステップＳ３０３）。この際、発光装置制御部１０３は当該ストロボＩＤに係る発光装置がマスターストロボであるか又はスレーブストロボであるかを示すストロボモードを初期登録情報として記憶部１０４に登録する。
【００４８】
続いて、発光装置制御部１０３は受信データが所属するグループに関するグループ情報、スレーブＩＤおよび動作モードなどに関するスレーブストロボ情報を含むか否かを判定する（ステップＳ３０４）。スレーブストロボ情報を含まないと（ステップＳ３０４において、ＮＯ）、発光装置制御部１０３は登録処理を終了する。一方、スレーブストロボ情報を含むと（ステップＳ３０４において、ＹＥＳ）、発光装置制御部１０３は後述するステップＳ３０６の処理を行う。
【００４９】
受信データが初期登録通知でないと（ステップＳ３０２において、ＮＯ）、発光装置制御部１０３は受信データがグループ情報変更通知であるか否かを判定する（ステップＳ３０５）。グループ情報変更通知であると（ステップＳ３０５において、ＹＥＳ）、発光装置制御部１０３は、記憶部１０４に登録されたグループ情報において該当するスレーブストロボのグループ情報を変更後のグループ情報に変更する（ステップＳ３０６）。そして、発光装置制御部１０３は登録処理を終了する。
【００５０】
このようにして、スレーブストロボのグループ情報が変更された場合、マスターストロボ１００はその変更を登録する。
【００５１】
なお、ステップＳ３０４において、スレーブストロボ情報を含むと判定された際には、発光装置制御部１０３は、ステップＳ３０６においてグループ情報、ストロボＩＤおよび動作モードを記憶部１０４に追加登録する。これによって、マスターストロボ１００はスレーブストロボの新規登録を行う。
【００５２】
受信データがグループ情報変更通知でないと（ステップＳ３０５において、ＮＯ）、発光装置制御部１０３はスレーブＩＤおよび動作モードを記憶部１０４に登録して（ステップＳ３０７）、登録処理を終了する。
【００５３】
マスターストロボ１００では、登録したスレーブストロボ４００に対して、定期的に生存確認を行うため無線通信を行う。この定期的な無線通信によって、例えば、電波の届かない位置に存在するなどの理由で確認できない（つまり、通信不能な）スレーブストロボを発見すると、マスターストロボ１００では発光装置制御部１０３が記憶部１０４に登録されている当該スレーブストロボに関するスレーブストロボ情報を削除する。
【００５４】
このようにして、マスターストロボ１００は、マスターストロボ１００の周囲に存在するスレーブストロボ４００に係るグループ情報を最新状態で管理する。
【００５５】
続いて、図２に示すカメラ２００およびマスターストロボ１００における多灯発光制御について説明する。なお、以下の説明では、マスターストロボ１００にはグループＡ、Ｂ、およびＣが発光グループとして設定されているものとする。
【００５６】
図５は図２に示すカメラシステムにおける撮影処理を説明するためのフローチャートである。
【００５７】
撮影処理が開始されると、カメラ制御部２０３はレリーズボタン（図示せず）が半押しされたか否かを判定する（ステップＳ４０１）。レリーズボタンが半押しされないと（ステップＳ４０１において、ＮＯ）、カメラ制御部２０３は待機する。
【００５８】
一方、レリーズボタンが半押しされると（ステップＳ４０１において、ＹＥＳ）、カメラ制御部２０３は内蔵タイマー（図示せず）を起動して、計時を開始する（ステップＳ４０２）。
【００５９】
続いて、カメラ制御部２０３は後述する発光グループの問い合わせ処理を行う（ステップＳ４０３）。この問い合わせ処理では、カメラ制御部２０３がマスターストロボ１００の発光装置制御部１０３に発光を行うグループを問い合わせて、発光を行うスレーブストロボに係るグループ情報（以下問い合わせ発光グループ情報という）を得る。
【００６０】
発光グループの問い合わせ処理を行った後、カメラ制御部２０３はレリーズスイッチが全押しされたか否かを判定する（ステップＳ４０４）。レリーズスイッチが全押しされないと（ステップＳ４０４において、ＮＯ）、カメラ制御部２０３は後述するステップＳ４１０の処理を行う。
【００６１】
一方、レリーズスイッチが全押しされると（ステップＳ４０４において、ＹＥＳ）、つまり、撮影開始指示があると、カメラ制御部２０３は問い合わせ発光グループ情報に応じてプリ発光を行うべきグループ（プリ発光グループ）を指定してプリ発光命令（プリ発光指示ともいう）をマスターストロボ１００に送信する。このプリ発光命令はシリアル通信入出力部２０１および１０６を介して発光装置制御部１０３に送られる。
【００６２】
プリ発光命令を受けると、発光装置制御部１０３は無線制御部１０１ｂを制御して、指定されたグループに属するスレーブストロボに対してプリ発光命令を一括送信する。これによって、問い合わせ発光グループ情報で指定されたグループに属するスレーブストロボがプリ発光を行う。そして、カメラ２００では測光回路２０５によって前述のようにして測光が行われて、カメラ制御部２０３は測光結果を記憶部２０２に保存する（ステップＳ４０５）。
【００６３】
続いて、カメラ制御部２０３は上記の測光結果に基づいて撮影に必要な発光量を、指定したグループに属するスレーブストロボ毎に求めて、必要発光量を得る（ステップＳ４０６）。
【００６４】
次に、カメラ制御部２０３は発光制御部１０３に必要発光量をマスターストロボ１００に送信する。必要発光量を受信すると、発光装置制御部１０３は無線制御部１０１ｂを制御して、指定されたグループに属するスレーブストロボに対して必要発光量を送信する（ステップＳ４０７）。
【００６５】
続いて、カメラ制御部２０３はマスターストロボ１００に本発光命令を送信する（ステップＳ４０８）。本発光命令を受けると、発光装置制御部１０３は無線制御部１０１ｂを制御して、指定されたグループに属するスレーブストロボに本発光命令を送信する。
【００６６】
本発光命令を受けると、指定されたグループに属するスレーブストロボは本発光を行う。そして、カメラ制御部２０３は本発光のタイミングに合わせて撮影を実行する（ステップＳ４０９）。
【００６７】
次に、カメラ制御部２０３は内蔵タイマーのカウントが所定のカウントとなったか否かを判定する（ステップＳ４１０）。内蔵タイマーのカウントが所定のカウント未満であると（ステップＳ４１０において、ＮＯ）、カメラ制御部２０３はステップＳ４０３の処理に戻る。一方、内蔵タイマーのカウントが所定のカウントとなると（ステップＳ４１０において、ＹＥＳ）、カメラ制御部２０３は撮影処理を終了する。
【００６８】
図６は図５に示す発光グループ問い合わせ処理を説明するためのフローチャートである。
【００６９】
発光グループの問い合わせを受けると、発光装置制御部１０３は判定部１０７に対してグループ判定処理の開始を通知する。判定部１０７は発光装置制御部１０３の制御下で記憶部１０４を参照してグループ判定処理を行う。
【００７０】
前述のように、記憶部１０４にはグループＡ、Ｂ、およびＣが発光グループとして登録されている。判定部１０７はグループＡに属するスレーブストロボがあるか否かについてグループ情報を参照して判定する（ステップＳ５０１）。続いて、判定部１０７はグループＢに属するスレーブストロボがあるか否かについてグループ情報を参照して判定する（ステップＳ５０２）。
【００７１】
さらに、判定部１０７はグループＣに属するスレーブストロボがあるか否かについてグループ情報を参照して判定する（ステップＳ５０３）。そして、発光装置制御部１０３は判定部１０７による判定結果に基づいてスレーブストロボの登録があるグループを抽出して、その抽出結果を発光グループ情報としてカメラ制御部２０３に送信する（ステップ５０４）。
【００７２】
このように、本発明の第１の実施形態では、スレーブストロボが存在する発光グループにのみプリ発光命令が送信されるので、従来のように全てのグループに対してプリ発光命令を送信する必要がない。すなわち、マスターストロボ１００によって設定された複数の発光グループのうち、複数の発光装置の少なくとも１つが属する発光グループには制御信号を送信し、複数の発光装置のいずれも属していない発光グループには制御信号を送信しない。このため、マスターストロボの無駄な通信動作を軽減することができる。また、無駄なプリ発光命令を送信しなくなるので、プリ発光命令に要する時間が短縮され、各スレーブストロボに対するプリ発光命令に伴うレリーズタイムラグを軽減することができる。
【００７３】
なお、第１の実施形態では、グループＡ、Ｂ、およびＣがマスターストロボに発光グループとして設定されているとして説明したが、設定可能なグループの最大数およびそれらの組み合わせに関しては上記の例に限定されるものではない。なお、発光グループの設定は、発光装置１００の不図示の操作部への操作に応じて発光装置制御部１０３が実行してもよいし、カメラ２００の不図示の操作部への操作に応じてカメラ２００のカメラ制御部２０３が実行しても構わない。
【００７４】
また、判定部１０７はカメラ２００が有していてもよく、マスターストロボ１００から各スレーブストロボがどのグループに属しているかを示す情報を取得して、プリ発光命令を送信するグループを抽出しても構わない。また、プリ発光命令は無線通信部１０１を介して送信しなくてもよく、光通信によりプリ発光命令を送信しても構わない。
【００７５】
［第２の実施形態］
続いて、本発明の第２の実施形態による発光制御装置について説明する。なお、発光装置、カメラ、およびカメラシステムの構成は図１および図２に示す例と同様であるので説明を省略する。また、グループ情報の初期登録および変更登録について図３（ａ）および図３（ｂ）で説明したようにして行われる。
【００７６】
図７は、本発明の第２の実施形態による発光制御装置が用いられたカメラシステムにおける撮影処理を説明するためのフローチャートである。なお、図７において、図５で説明したステップと同一のステップについては同一の参照符号を付して説明を省略する。また、第２の実施形態においても、マスターストロボ１００にはグループＡ，Ｂ、およびＣが発光グループとして設定されているものとする。
【００７７】
図５で説明したようにして、ステップＳ４０３で発光グループの問い合わせ処理を行った後、カメラ制御部２０３はマスターストロボ１００に設定された発光グループの設定を問い合わせる（ステップＳ６０４）。そして、問い合わせの結果を受けると、カメラ制御部２０３はその発光グループ設定を記憶部２０２に記録する。つまり、記憶部２０２にはグループＡ、Ｂ、およびＣが発光グループ設定として記録される。また、このとき、マスターストロボ１００に各スレーブストロボの最大発光量（発光可能量）を問い合わせる。あるいは、マスターストロボ１００に各スレーブストロボのスレーブＩＤを問い合わせる。その後、カメラ制御部２０３はステップＳ４０４〜Ｓ４０７の処理を行う。
【００７８】
ステップＳ４０７の処理を行った後、カメラ制御部２０３は後述する調光判定処理を行う（ステップＳ６０９）。この調光判定処理は、ステップＳ４０６で求めた発光量で各発光グループが発光可能であるか否かを判定する処理である。その後、カメラ制御部２０３はステップＳ４０８〜Ｓ４１０の処理を行って、撮影処理を終了する。
【００７９】
図８は図７に示す調光判定処理を説明するためのフローチャートである。
【００８０】
調光判定処理を開始すると、カメラ制御部２０３は記憶部２０２に記録された問い合わせ発光グループ情報および発光グループ設定に応じて、グループＡが問い合わせ発光グループ情報に存在する場合にグループＡにスレーブストロボが属するか否かを判定する（ステップＳ７０１）。
【００８１】
グループＡにスレーブストロボが属すると（ステップＳ７０１において、ＹＥＳ）、カメラ制御部２０３はステップＳ４０６で求めたグループＡに係る発光量が設定可能な発光量の許容範囲であるか否かを判定する（ステップＳ７０２）。すなわち、グループＡに属するスレーブストロボがステップＳ４０６で求めたグループＡに係る発光量で発光可能か否かを判定する。この判定には、ステップＳ６０４で得た各スレーブストロボの最大発光量（発光可能量）に関する情報を用いる。あるいは、ステップＳ６０４で得たスレーブＩＤに関する情報と、記憶部２０２に予め記憶されているスレーブＩＤと最大発光量（発光可能量）に関するテーブルとを用いる。グループＡに係る発光量が許容範囲内であると（ステップＳ７０２において、ＹＥＳ）、カメラ制御部２０３は記憶部２０２に記録された問い合わせ発光グループ情報および発光グループ設定に応じて、グループＢが問い合わせ発光グループ情報に存在する場合にグループＢにスレーブストロボが属するか否かを判定する（ステップＳ７０３）。
【００８２】
グループＢにスレーブストロボが属すると（ステップＳ７０３において、ＹＥＳ）、カメラ制御部２０３はステップＳ４０６で求めたグループＢに係る発光量が設定可能な発光量の許容範囲であるか否かを判定する（ステップＳ７０４）。グループＢに係る発光量が許容範囲内であると（ステップＳ７０４において、ＹＥＳ）、カメラ制御部２０３は記憶部２０２に記録された問い合わせ発光グループ情報および発光グループ設定に応じて、グループＣが問い合わせ発光グループ情報に存在する場合にグループＣにスレーブストロボが属するか否かを判定する（ステップＳ７０５）。
【００８３】
グループＣにスレーブストロボが属すると（ステップＳ７０５において、ＹＥＳ）、カメラ制御部２０３はステップＳ４０６で求めたグループＣに係る発光量が設定可能な発光量の許容範囲であるか否かを判定する（ステップＳ７０６）。グループＣに係る発光量が許容範囲内であると（ステップＳ７０６において、ＹＥＳ）、カメラ制御部２０３はマスターストロボ１００の発光装置制御部１０３にシリアル通信入力部２０１および１０６を介して調光成功通知を行う（ステップＳ７０７）。そして、カメラ制御部２０３は調光判定処理を終了する。これによって、発光装置制御部１０３は撮影の後に点灯部１０５を点灯させる。
【００８４】
なお、ステップＳ７０１〜Ｓ７０６の各条件を１つでも満たさない場合、カメラ制御部２０３はマスターストロボ１００の発光装置制御部１０３にシリアル通信入力部２０１および１０６を介して調光失敗通知（調光不良通知ともいう）を行う（ステップＳ７０８）。そして、カメラ制御部２０３は調光判定処理を終了する。これによって、発光装置制御部１０３は撮影の後に点灯部１０５を点灯させない。
【００８５】
このように、本発明の第２の実施形態においても、スレーブストロボが存在する発光グループにのみプリ発光命令が送信されるので、従来のように全てのグループに対して（つまり、グループ毎に）プリ発光命令を送信する必要がない。このため、マスターストロボの無駄な通信動作を軽減することができる。
【００８６】
さらに、第２の実施形態においては、各発光グループに係る発光量が許容範囲であるか否かを判定して、当該判定結果に応じて点灯部１０５を点灯制御するようにしたので、ユーザは発光が良好に行われた撮影であるか否かを容易に知ることができる。
【００８７】
なお、点灯部１０５の状態が点灯状態であるか消灯状態であるかによって調光判定結果を報知する場合を説明したが、調光判定結果に応じて点灯部１０５の色を変化させたり、調光判定結果を不図示の表示部に表示するようにしても構わない。また、カメラ２００の表示部に調光判定結果を表示するようにしても構わない。
【００８８】
［第３の実施形態］
次に、本発明の第３の実施形態による発光制御装置について説明する。なお、発光装置、カメラ、およびカメラシステムの構成は図１および図２に示す例と同様であるので説明を省略する。また、グループ情報の初期登録および変更登録について図３（ａ）および図３（ｂ）で説明したようにして行われる。
【００８９】
図９は、本発明の第３の実施形態による発光制御装置が用いられたカメラシステムにおける撮影処理を説明するためのフローチャートである。なお、図９において、図５および図７で説明したステップと同一のステップについては同一の参照符号を付して説明を省略する。また、第３の実施形態においても、マスターストロボ１００にはグループＡ，Ｂ、およびＣが発光グループとして設定されているものとする。
【００９０】
図７で説明したようにして、ステップＳ６０４で発光グループの設定を問い合わせ、発光グループ設定を記憶部２０２に記録した後、カメラ制御部２０３は後述するグループ設定確認処理を行う（ステップＳ１１０５）。このグループ設定確認処理では、発光グループ設定において設定されたグループにスレーブストロボが属するか否かを確認して、発光グループ設定されたグループにスレーブストロボが属しないと、警告を行う。その後、カメラ制御部２０３はステップＳ４０４〜Ｓ４１０の処理を行って、撮影処理を終了する。
【００９１】
図１０は図９に示すグループ設定確認処理を説明するためのフローチャートである。
【００９２】
グループ設定確認処理を開始すると、カメラ制御部２０３は記憶部２０２に記録された問い合わせ発光グループ情報および発光グループ設定に応じて、グループＡ、Ｂ、およびＣの各々が問い合わせ発光グループ情報に存在する場合にグループＡ、Ｂ、およびＣの全てにスレーブストロボが属するか否かを確認する（ステップＳ１２０１）。つまり、カメラ制御部２０３は問い合わせ発光グループ情報に含まれるグループの全てにスレーブストロボが属しているか（存在するか）否かを確認することになる。
【００９３】
そして、カメラ制御部２０３は確認結果に基づいて全てのグループＡ、Ｂ、およびＣにスレーブストロボが存在するか否かを判定する（ステップＳ１２０２）。全てのグループＡ、Ｂ、およびＣにスレーブストロボが存在すると（ステップＳ１２０２において、ＹＥＳ）、カメラ制御部２０３はグループ設定確認処理を終了する。
【００９４】
一方、グループＡ、Ｂ、およびＣのいずれかにスレーブストロボが存在しないと（ステップＳ１２０２において、ＮＯ）、カメラ制御部２０３は当該スレーブストロボが存在しないグループを表示部２０４に警告表示する（ステップＳ１２０３）。そして、カメラ制御部２０３はグループ確認処理を終了する。
【００９５】
このように、本発明の第３の実施形態においても、スレーブストロボが存在する発光グループにのみプリ発光命令が送信されるので、従来のように全てのグループに対してプリ発光命令を送信する必要がない。このため、マスターストロボの無駄な通信動作を軽減することができる。
【００９６】
さらに、第３の実施形態では、レリーズスイッチが全押しされる前に、発光グループ設定されかつ問い合わせ発光グループ情報に存在するグループについてスレーブストロボが存在しないと警告表示を行うようにした。このため、ユーザは当該警告表示に応じてレリーズスイッチの全押しを行うか否かを決定することができる。そして、ユーザは警告表示に応じて撮影を中止して発光グループ設定を再設定して撮影を行うことができ、ユーザにとって利便性を高くすることができる。
【００９７】
なお、第３の実施形態では、レリーズスイッチの全押し前にグループ設定確認処理を行うようにしたが、撮影の後でグループ設定確認処理を行うようにしてもよく、この場合には、ユーザに撮影が良好に行われなかった可能性があることを報知することになる。
【００９８】
また、表示部２０４に警告表示を行う場合について説明したが、その他の報知手段によりスレーブストロボが属していないグループが存在することを報知しても構わない。また、どのグループにスレーブストロボが属していないかを示す情報を報知するようにしても構わない。
【００９９】
［第４の実施形態］
次に、本発明の第４の実施形態による発光制御装置について説明する。なお、発光装置、カメラ、およびカメラシステムの構成は図１および図２に示す例と同様であるので説明を省略する。また、グループ情報の初期登録および変更登録については図３（ａ）および図３（ｂ）で説明したようにして行われる。
【０１００】
図１１は本発明の第４の実施形態による発光制御装置が用いられたカメラシステムにおいてカメラにおけるグループ登録処理を説明するためのフローチャートである。なお、図１には示されていないが、第４の実施形態においては、カメラは内蔵無線部および内蔵アンテナ（無線通信手段）を有しているものとする。
【０１０１】
カメラ２００では、カメラ制御部２０３は内蔵無線部が電波を受信したか否かを判定する（ステップＳ１５０１）。内蔵無線部が電波を受信しないと（ステップＳ１５０１において、ＮＯ）、カメラ制御部２０３は待機する。一方、内蔵無線部が電波を受信すると（ステップＳ１５０１において、ＹＥＳ）、カメラ制御部２０３は内蔵無線部から受信データを受ける。
【０１０２】
カメラ制御部２０３は受信データが初期登録通知であるか否かを判定する（ステップＳ１５０２）。初期登録通知であると（ステップＳ１５０２において、ＹＥＳ）、カメラ制御部２０３は初期登録通知に含まれるストロボＩＤを初期登録情報として記憶部２０２に保存する（ステップＳ１５０３）。この際、カメラ制御部２０３はストロボＩＤに係る発光装置がマスターストロボであるか又はスレーブストロボであるかを示す動作モードを初期登録情報として記憶部２０２に登録する。
【０１０３】
続いて、カメラ制御部２０２は受信データがスレーブストロボ情報を含むか否かを判定する（ステップＳ１５０４）。スレーブストロボ情報を含まないと（ステップＳ１５０４において、ＮＯ）、カメラ制御部２０３はグループ登録処理を終了する。一方、スレーブストロボ情報を含むと（ステップＳ１５０４において、ＹＥＳ）、発光装置制御部１０３は後述するステップＳ１５０６の処理を行う。
【０１０４】
受信データが初期登録通知でないと（ステップＳ１５０２において、ＮＯ）、カメラ制御部２０３は受信データがグループ情報変更通知であるか否かを判定する（ステップＳ１５０５）。グループ情報変更通知であると（ステップＳ１５０５において、ＹＥＳ）、カメラ制御部２０３は、記憶部２０２に登録されたグループ情報において該当するスレーブストロボのグループ情報を変更後のグループ情報に変更する（ステップＳ１５０６）。そして、カメラ制御部２０３は登録処理を終了する。
【０１０５】
このようにして、スレーブストロボのグループ情報が変更された場合、カメラ２００はその変更を登録する。
【０１０６】
なお、ステップＳ１５０４において、スレーブストロボ情報を含むと判定された際には、カメラ制御部２０３は、ステップＳ１５０６においてグループ情報、ストロボＩＤおよび動作モードを記憶部２０２に追加登録する。これによって、カメラ２００はスレーブストロボの新規登録を行う。
【０１０７】
受信データがグループ情報変更通知でないと（ステップＳ１５０５において、ＮＯ）、カメラ制御部２０３はスレーブＩＤおよび動作モードを記憶部２０２に登録して（ステップＳ１５０７）、グループ登録処理を終了する。
【０１０８】
カメラ２００では、登録したスレーブストロボ４００に対して、定期的に生存確認を行うため無線通信を行う。この定期的な無線通信によって、例えば、電波の届かない位置に存在するなどの理由で確認できないスレーブストロボを発見すると、カメラ２００ではカメラ制御部２０３が記憶部２０２に登録されている当該スレーブストロボに関するスレーブストロボ情報を削除する。
【０１０９】
このようにして、カメラ２００は、カメラ２００の周囲に存在するスレーブストロボ４００に係るグループ情報を最新状態で管理する。なお、図１１に示す処理は、例えば、マスターストロボ１００がカメラ２００に接続されていない場合に行われる。
【０１１０】
図１２は、本発明の第４の実施形態による発光制御装置が用いられたカメラシステムにおける撮影処理を説明するためのフローチャートである。なお、図１２において、図５で説明したステップと同一のステップについては同一の参照符号を付して説明を省略する。また、第４の実施形態においても、カメラ２００にはグループＡ，Ｂ、およびＣが発光グループとして設定されているものとする。
【０１１１】
ステップＳ４０４において、レリーズスイッチが全押しされたと判定すると、カメラ制御部２０３は、後述する発光グループ選択処理を行う（ステップＳ１３０４）。この発光グループ選択処理では実際に発光するグループが選択・指定される。そして、カメラ制御部２０３はステップＳ４０５の処理を行った後、カメラ自体が備える内蔵ストロボ（図示せず）のプリ発光を行って、測光回路２０５によって測光を行う。そして、カメラ制御部２０３はその測光結果を内蔵ストロボ測光結果として記憶部２０２に保存する（ステップＳ１３０６）。
【０１１２】
続いて、カメラ制御部２０３はスレーブストロボのプリ発光による測光結果に基づいて撮影に必要な発光量を、指定したグループに属するスレーブストロボ毎に求めて必要発光量を得る。さらに、カメラ制御部２０３は内蔵ストロボ測光結果に応じて、内蔵ストロボに必要な発光量を内蔵ストロボ発光量として求める（ステップＳ１３０７）。
【０１１３】
カメラ制御部２０３はステップＳ４０７およびＳ４０８の処理を行った後、スレーブストロボの本発光のタイミングに同期して、内蔵ストロボ発光量に応じて内蔵ストロボの本発光を行う（ステップＳ１３１０）。そして、カメラ制御部２０３はステップＳ４０９およびＳ４１０の処理を行う。つまり、カメラ制御部２０３はスレーブストロボの本発光および内蔵ストロボの本発光のタイミングに合わせて撮影を実行することになる。
【０１１４】
図１３は図１２に示す発光グループ選択処理を説明するためのフローチャートである。なお、ここでは、図１１で説明したようにして、記憶部２０２にはスレーブストロボ毎にその属する発光グループ情報が記録されるとともに、予め発光グループ設定が登録されているものとする。また、発光グループ設定としてグループＡ、Ｂ、およびＣが設定されているものとする。
【０１１５】
カメラ制御部２０３は記憶部２０２に記録された発光グループ情報および発光グループ設定に応じて、グループＡにスレーブストロボが存在するか否かを確認する（ステップＳ１４０１）。同様にして、カメラ制御部２０３はグループＢにスレーブストロボが存在するか否かを確認する（ステップＳ１４０２）。さらに、カメラ制御部２０３はグループＣにスレーブストロボが存在するか否かを確認する（ステップＳ１４０３）。
【０１１６】
続いて、カメラ制御部２０３はステップＳ１４０１、Ｓ１４０２、およびＳ１４０３における確認結果からスレーブストロボが存在するグループを選択して、その選択結果を指定発光グループとして記憶部２０２に記憶する（ステップＳ１４０４。そして、カメラ制御部２０３は発光グループ選択処理を終了する。
【０１１７】
以上のように、本発明の第４の実施形態では、スレーブストロボが存在する発光グループにのみプリ発光命令が送信されるので、従来のように全てのグループに対してプリ発光命令を送信する必要がない。このため、マスターストロボの無駄な通信動作を軽減することができる。
【０１１８】
［第５の実施形態］
次に、本発明の第５の実施形態による発光制御装置について説明する。なお、発光装置、カメラ、およびカメラシステムの構成は図１および図２に示す例と同様であるので説明を省略する。また、グループ情報の初期登録および変更登録について図３（ａ）および図３（ｂ）で説明したようにして行われる。
【０１１９】
図１４は、本発明の第５の実施形態による発光制御装置が用いられたカメラシステムにおける撮影処理を説明するためのフローチャートである。なお、図１４において、図５および図７で説明したステップと同一のステップについては同一の参照符号を付して説明を省略する。また、第５の実施形態においても、マスターストロボ１００にはグループＡ，Ｂ、およびＣが発光グループとして設定されているものとする。
【０１２０】
図５又は図７で説明したように、ステップＳ４０７において発光制御部１０３に必要発光量をマスターストロボ１００に送信した後、カメラ制御部２０３は後述する所定の時間だけ待機する時間調整処理を行う（ステップＳ１８０９）。この時間調整処理では、ステップＳ４０３で取得した問い合わせ発光グループ情報とステップＳ６０４で取得した発光グループ設定とに応じて待機時間が決定される。その後、カメラ制御部２０３はステップＳ４０８〜Ｓ４１０の処理を行って、撮影処理を終了する。
【０１２１】
図１５は、図１４に示す時間調整処理を説明するためのフローチャートである。
【０１２２】
時間調整処理を開始すると、カメラ制御部２０３はカウンタｃｏｕｎｔ＝０に設定する（ステップＳ１９０１）。続いて、カメラ制御部２０３は記憶部２０２に記録された問い合わせ発光グループ情報および発光グループ設定に応じて、グループＡが問い合わせ発光グループ情報に存在する場合にグループＡにスレーブストロボが属するか否かを判定する（ステップＳ１９０２）。
【０１２３】
グループＡにスレーブストロボが属さないと、つまり、存在しないと（ステップＳ１９０２において、ＮＯ）、カメラ制御部２０３はカウンタｃｏｕｎｔをインクリメントする（ｃｏｕｎｔ＝ｃｏｕｎｔ＋１：ステップＳ１９０３）。
【０１２４】
続いて、カメラ制御部２０３は記憶部２０２に記録された問い合わせ発光グループ情報および発光グループ設定に応じて、グループＢが問い合わせ発光グループ情報に存在する場合にグループＢにスレーブストロボが属するか否かを判定する（ステップＳ１９０４）。グループＢにスレーブストロボが属さないと（ステップＳ１９０４において、ＮＯ）、カメラ制御部２０３はさらにカウンタｃｏｕｎｔをインクリメントする（ステップＳ１９０５）。
【０１２５】
そして、カメラ制御部２０３は記憶部２０２に記録された問い合わせ発光グループ情報および発光グループ設定に応じて、グループＣが問い合わせ発光グループ情報に存在する場合にグループＣにスレーブストロボが属するか否かを判定する（ステップＳ１９０６）。グループＣにスレーブストロボが属さないと（ステップＳ１９０６において、ＮＯ）、カメラ制御部２０３はさらにカウンタｃｏｕｎｔをインクリメントする（ステップＳ１９０７）。
【０１２６】
記憶部２０２には、１つのグループに要するプリ発光の処理時間（以下プリ発光処理時間）が予め設定されており、カメラ制御部２０３は記憶部２０２に記憶されたプリ発光処理時間とカウンタｃｏｕｎｔのカウント値とを乗算して乗算結果（待機時間）を得る。そして、カメラ制御部２０３は当該待機時間の間、ステップＳ４０８の処理を待つ（ステップＳ１９０７）。
【０１２７】
なお、全てのグループにスレーブストロボが属する場合、待機時間はゼロとなる。
【０１２８】
このように、第５の実施形態においても、スレーブストロボが存在する発光グループにのみプリ発光命令が送信されるので、従来のように全てのグループに対してプリ発光命令を送信する必要がない。このため、マスターストロボの無駄な通信動作を軽減することができる。
【０１２９】
また、第５の実施形態では、グループにスレーブストロボが存在するか否かに応じて本発光命令を待機する時間を変更するようにしたので、グループの数および発光するグループの組み合わせに拘わらず、レリーズに要する処理時間を一定とすることができる。
【０１３０】
なお、本実施形態では、グループにスレーブストロボが存在するか否かに応じて本発光命令を待機する時間を変更することで、各スレーブストロボに対するプリ発光命令に伴うレリーズタイムラグを軽減することはできない。そのため、第１の実施形態の処理と本実施形態の処理とを両方用いる構成の場合、撮影モードなどに応じて使い分けることが望ましい。例えば、連写撮影を行う場合、第１の実施形態の処理を行うとスレーブストロボが属していないグループが存在する時と存在しない時とで連写速度に違いが生じてしまう。一方、連写撮影を行うモードにおいては、本実施形態の処理を用いることでスレーブストロボが属していないグループが存在する時と存在しない時とで連写速度を等しくすることができる。
【０１３１】
また、本実施形態では、本発光命令の送信開始タイミングの待機時間を変更しているが、プリ発光命令の送信開始タイミングの待機時間を変更してもよいし、プリ発光命令の送信間隔を変更しても構わない。
【０１３２】
また、上記の５つの実施形態は、それぞれ他の実施形態に記載の構成を組み合わせることが可能である。
【０１３３】
上述の説明から明らかなように、図１に示す例において、マスターストロボ１００では、発光装置制御部１０３および判定部１０７が判定手段および制御手段として機能する。また、カメラ２００では、カメラ制御部２０３が判定手段および制御手段として機能する。
【０１３４】
以上、本発明について実施の形態に基づいて説明したが、本発明は、これらの実施の形態に限定されるものではなく、この発明の要旨を逸脱しない範囲の様々な形態も本発明に含まれる。
【０１３５】
例えば、上記の実施の形態の機能を制御方法として、この制御方法を発光制御装置又は撮像装置に実行させるようにすればよい。また、上述の実施の形態の機能を有するプログラムを制御プログラムとして、この制御プログラムを発光制御装置又は撮像装置が備えるコンピュータに実行させるようにしてもよい。なお、制御プログラムは、例えば、コンピュータに読み取り可能な記録媒体に記録される。
【０１３６】
この際、制御方法および制御プログラムの各々は、少なくとも判定ステップおよび制御ステップを有することになる。
【０１３７】
また、本発明は、以下の処理を実行することによっても実現される。即ち、上述した実施形態の機能を実現するソフトウェア（プログラム）を、ネットワーク又は各種記録媒体を介してシステム或いは装置に供給し、そのシステム或いは装置のコンピュータ（またはＣＰＵやＭＰＵ等）がプログラムを読み出して実行する処理である。
【符号の説明】
【０１３８】
１００  発光装置（マスターストロボ）
１０１  無線通信部
１０３  発光装置制御部
１０４  記憶部
１０５  点灯部
１０７  判定部
２００  カメラ（撮像装置）
２０２  記憶部
２０３  カメラ制御部
２０４  表示部
【図１】
2013160788.tif 000003
【図２】
2013160788.tif 000004
【図３】
2013160788.tif 000005
【図４】
2013160788.tif 000006
【図５】
2013160788.tif 000007
【図６】
2013160788.tif 000008
【図７】
2013160788.tif 000009
【図８】
2013160788.tif 000010
【図９】
2013160788.tif 000011
【図１０】
2013160788.tif 000012
【図１１】
2013160788.tif 000013
【図１２】
2013160788.tif 000014
【図１３】
2013160788.tif 000015
【図１４】
2013160788.tif 000016
【図１５】
2013160788.tif 000017